(57)【要約】      （修正有）【課題】特定動画番組に対して動画番組推奨を生成する方法及びサーバを提供する。【解決手段】特定動画番組の電子番組ガイダンスおよび特定動画番組からキー情報を抽出するステップと、キー情報を利用して、キー情報に関連する内容をパブリックソーシャルメディアで検索して検索結果を得るステップと、検索結果からサマリーを抽出して問い合わせリクエストとするステップと、問い合わせリクエストに基づいて、動画番組を放送動画ライブラリーとインターネット動画ライブラリーから検索し、得た検索結果を特定動画番組の動画番組推奨とするステップと、動画番組推奨を特定動画番組に関連付けて記憶するステップとを含む。【選択図】図１
2015090716.tif 000002
【特許請求の範囲】
【請求項１】
特定動画番組に対して動画番組推奨を生成する方法において、
特定動画番組の電子番組ガイダンスおよび当該特定動画番組からキー情報を抽出するステップと、
当該キー情報を利用して、当該キー情報に関連する内容をパブリックソーシャルメディアで検索して検索結果を得るステップと、
当該検索結果からサマリーを抽出して問い合わせリクエストとするステップと、
当該問い合わせリクエストに基づいて、動画番組を放送動画ライブラリーとインターネット動画ライブラリーから検索し、得た検索結果を当該特定動画番組の動画番組推奨とするステップと、
当該動画番組推奨を前記特定動画番組に関連付けて記憶するステップと
を含むことを特徴とする方法。
【請求項２】
請求項１に記載の方法において、さらに、
ユーザによる前記特定動画番組のリクエスト時に、前記動画番組推奨を前記ユーザに送信することを含むことを特徴とする方法。
【請求項３】
請求項１に記載の方法において、
特定動画番組の電子番組ガイダンスおよび当該特定動画番組からキー情報を抽出するステップは、
前記電子番組ガイダンスを解析してキーワードを抽出することと、
前記特定動画番組からキーフレームを抽出することと、
抽出されたキーフレームを識別して、識別した文字内容を取得することと、
識別した文字内容の少なくとも一部と前記キーワードを合併して、前記キー情報とすることと
を含むことを特徴とする方法。
【請求項４】
請求項３に記載の方法において、
前記特定動画番組からキーフレームを抽出するステップは、
前記特定動画番組のうち、動画ショットの主要内容を代表する画像フレームを抽出して、前記キーフレームとすることを含むことを特徴とする方法。
【請求項５】
請求項３に記載の方法において、
抽出されたキーフレームを識別するステップは、
抽出されたキーフレームにおける文字内容をテキスト識別技術で識別することを含むことを特徴とする方法。
【請求項６】
請求項３に記載の方法において、
識別した文字内容の少なくとも一部と前記キーワードを合併するステップは、
識別した文字内容の少なくとも一部と前記キーワードを重み付けてからソートして、前記キー情報を形成することを含むことを特徴とする方法。
【請求項７】
請求項１に記載の方法において、
当該検索結果からサマリーを抽出するステップは、
各検索結果に点数をつけることと、
点数が所定値を超えた検索結果からキーワードを抽出して前記サマリーを生成することとを含むことを特徴とする方法。
【請求項８】
請求項１に記載の方法において、
前記の、当該キー情報を利用して当該キー情報に関連する内容をパブリックソーシャルメディアで検索するステップは、
前記パブリックソーシャルメディア上の内容をクローリングしてパブリックソーシャルメディアインデックスを形成することと、
前記キー情報を前記パブリックソーシャルメディアインデックスにマッチングさせることと、
マッチング度が所定閾値より高いパブリックソーシャルメディアインデックスに対応する内容を検索結果とすることと
を含むことを特徴とする方法。
【請求項９】
請求項１に記載の方法において、
前記の、当該問い合わせリクエストに基づいて、動画番組を放送動画ライブラリーとインターネット動画ライブラリーから検索するステップは、
放送動画ライブラリーとインターネット動画ライブラリーをクローリングしてストリーミング動画番組インデックスを形成することと、
前記問い合わせリクエストを前記ストリーミング動画番組インデックスにマッチングさせることと、
マッチング度が所定閾値より高い動画番組インデックスに対応する内容を検索結果とすることと
を含むことを特徴とする方法。
【請求項１０】
特定動画番組に対して動画番組推奨を生成するサーバにおいて、
特定動画番組の電子番組ガイダンスおよび当該特定動画番組からキー情報を抽出する抽出器と、
当該キー情報を利用して、当該キー情報に関連する内容をパブリックソーシャルメディアで検索して検索結果を得て、当該検索結果からサマリーを抽出して問い合わせリクエストとし、当該問い合わせリクエストに基づいて、動画番組を放送動画ライブラリーとインターネット動画ライブラリーから検索し、得た検索結果を当該特定動画番組の動画番組推奨とする検索エンジンと、
当該動画番組推奨を前記特定動画番組に関連付けて記憶するメモリと
を含むことを特徴とするサーバ。
【発明の詳細な説明】
【技術分野】
【０００１】
本願は、移動動画技術に係り、具体的に動画番組推奨方法及びそのサーバに係る。
【背景技術】
【０００２】
インターネット技術と通信技術の発展に伴い、移動インターネット（Mobile  Internet）とマルチメディア放送（Multimedia  Broadcast）は、日常生活の各方面で広く応用されている。移動マルチメディア放送網は、例えば、ＣＭＭＢ（China  Mobile  Multimedia  Broadcast）、ＩＳＴＢ‐Ｔｍｍ（Integrated  Services  Digital  Broadcasting‐Terrestrial  mobile  multimedia）など、標準化の無線放送ネットワークシステムである。人々は、専用のＣＭＭＢ受信端末、またはＣＭＭＢモジュールを搭載した携帯電話を通して、テレビやラジオ番組といったマルチメディア放送を受信する。
【０００３】
この場合、移動マルチメディア端末は、伝統的なテレビ放送番組の受信ができるのみならず、インターネットにアクセスすることによってインターネット上のストリーミング動画番組を再生することもできる。例えば、ＣＭＭＢモジュールを具備したスマートフォンまたはタブレットパソコンは、ＷｉＦｉまたは無線広域網を介してインターネットにアクセスして、ネットワーク上の動画へのアクセスを実現する。しかし、インターネット上に大量の動画情報があり、ユーザは、自分の見たい動画を確定することが難しい。通常、ユーザは、キーワード検索の方法を採用して自分の見たい動画番組または自分の好みの番組を検索する。如何にして各動画番組について対応する動画番組推奨を生成することは、移動インターネット時代の１つの技術上の難題である。
【発明の概要】
【課題を解決するための手段】
【０００４】
従来技術における１つまたは複数の問題を考慮し、本願は、動画番組推奨方法及びそのサーバを提供する。
【０００５】
本発明の一態様によれば、特定動画番組に対して動画番組推奨を生成する方法を提供する。当該方法において、特定動画番組の電子番組ガイダンスおよび当該特定動画番組からキー情報を抽出するステップと、当該キー情報を利用して、当該キー情報に関連する内容をパブリックソーシャルメディアで検索して検索結果を得るステップと、当該検索結果からサマリーを抽出して問い合わせリクエストとするステップと、当該問い合わせリクエストに基づいて、動画番組を放送動画ライブラリーとインターネット動画ライブラリーから検索し、得た検索結果を当該特定動画番組の動画番組推奨とするステップと、当該動画番組推奨を前記特定動画番組に関連付けて記憶するステップとを含む。
【０００６】
また、前記方法において、さらに、ユーザによる前記特定動画番組のリクエスト時に、前記動画番組推奨を前記ユーザに送信することを含む。
【０００７】
また、特定動画番組の電子番組ガイダンスおよび当該特定動画番組からキー情報を抽出するステップは、前記電子番組ガイダンスを解析してキーワードを抽出することと、前記特定動画番組からキーフレームを抽出することと、抽出されたキーフレームを識別して、識別した文字内容を取得することと、識別した文字内容の少なくとも一部と前記キーワードを合併して、前記キー情報とすることとを含む。
【０００８】
また、前記特定動画番組からキーフレームを抽出するステップは、前記特定動画番組のうち、動画ショットの主要内容を代表する画像フレームを抽出して、前記キーフレームとすることを含む。
【０００９】
また、抽出されたキーフレームを識別するステップは、抽出されたキーフレームにおける文字内容をテキスト識別技術で識別することを含む。
【００１０】
また、識別した文字内容の少なくとも一部と前記キーワードを合併するステップは、識別した文字内容の少なくとも一部と前記キーワードを重み付けてからソートして、前記キー情報を形成することを含む。
【００１１】
また、当該検索結果からサマリーを抽出するステップは、各検索結果に点数をつけることと、点数が所定値を超えた検索結果からキーワードを抽出して前記サマリーを生成することとを含む。
【００１２】
また、前記の、当該キー情報を利用して当該キー情報に関連する内容をパブリックソーシャルメディアで検索するステップは、前記パブリックソーシャルメディア上の内容をクローリングしてパブリックソーシャルメディアインデックスを形成することと、前記キー情報を前記パブリックソーシャルメディアインデックスにマッチングさせることと、マッチング度が所定閾値より高いパブリックソーシャルメディアインデックスに対応する内容を検索結果とすることとを含む。
【００１３】
また、前記の、当該問い合わせリクエストに基づいて、動画番組を放送動画ライブラリーとインターネット動画ライブラリーから検索するステップは、放送動画ライブラリーとインターネット動画ライブラリーをクローリングしてストリーミング動画番組インデックスを形成することと、前記問い合わせリクエストを前記ストリーミング動画番組インデックスにマッチングさせることと、マッチング度が所定閾値より高い動画番組インデックスに対応する内容を検索結果とすることとを含む。
【００１４】
本発明の別態様によれば、特定動画番組に対して動画番組推奨を生成するサーバを提供する。当該サーバにおいて、特定動画番組の電子番組ガイダンスおよび当該特定動画番組からキー情報を抽出する抽出器と、当該キー情報を利用して、当該キー情報に関連する内容をパブリックソーシャルメディアで検索して検索結果を得、当該検索結果からサマリーを抽出して問い合わせリクエストとし、当該問い合わせリクエストに基づいて、動画番組を放送動画ライブラリーとインターネット動画ライブラリーから検索し、得た検索結果を当該特定動画番組の動画番組推奨とする検索エンジンと、当該動画番組推奨を前記特定動画番組に関連付けて記憶するメモリとを含む。
【発明の効果】
【００１５】
上記実施例のデバイスと方法を利用し、サーバ側で動画番組について対応する動画番組推奨を集中的に生成できる。
【図面の簡単な説明】
【００１６】
【図１】本発明の一実施例による動画番組推奨システムの構造模式図である。
【図２】本発明の別の実施例による動画番組推奨システムでの移動インターネット端末とサーバの構造模式図である。
【図３】本発明の実施例による移動インターネット端末とサーバのインタラクティブを示す。
【図４】本発明の実施例による推奨方法のフロー図である。
【発明を実施するための形態】
【００１７】
以下、本願で開示する好ましい実施形態を、図面を参照しながら詳細に説明する。図面では、異なる図面に示されていながら、同一または類似な部品の表示には同一の図面記号が使われている。明確かつ簡潔に説明するために、ここに含まれる既知の機能と構造は、詳細な記載が省略され、本願の各実施例の主題が不明確にならないようにする。
【００１８】
図１は、本発明の一実施例による動画番組推奨システムの模式的ブロック図である。本願の１つまたは複数の実施例によれば、端末１００は、移動テレビモジュールを具備するスマートフォンである。したがって、端末１００は、放送テレビ番組の受信ができるのみならず、例えば、ＷｉＦｉや無線広域網を介したインターネット６００上の動画番組、例えばＹｏｕＴｕｂｅ（登録商標）など、およびソーシャルメディア５００へのアクセスもできる。例えば、ユーザは、端末１００におけるチューナー１１０を通して伝統的な放送番組を取得し、ブラウザ／ＡＰＰ１２０を通してインターネット上の動画番組を再生する。また、図１に示す端末は、推奨マネージャー１３０をさらに含む。推奨マネージャー１３０は、ユーザの例えばツイッターやミニブログなどのソーシャルメディアアカウントのソーシャル情報、鑑賞履歴及び操作データベースなどの情報を記録し、さらに推奨事件について管理をする。
【００１９】
図１に示すように、サーバ２００は、検索マネージャー２２０と、動画検索エンジン２１０と、ソーシャルメディア検索エンジン２３０とを含む。一部の実施例では、動画検索エンジン２１０とソーシャルメディア検索エンジン２３０とを１つのモジュールに形成して検索エンジンと称してもいい。図示の実施例では、移動マルチメディア端末１００でテレビＣＤＮ３００の動画番組を再生する前に、サーバ２００の検索エンジンは、再生される番組について、パブリックソーシャルメディアの情報とインターネット動画番組４１０に基づいて動画推奨を生成でき、移動端末の稼働負荷を低減した。例えば、当該動画番組の電子番組ガイダンスおよび動画番組からキー情報を抽出し、当該番組に関連するソーシャルメディア情報をパブリックソーシャルメディア５００からクローリングして動画番組インデックスを形成する。それから、キー情報を検索リクエストとしてソーシャルメディアインデックスでマッチングして検索結果を生成する。さらに、検索結果からサマリーを形成して新しい検索リクエストとし、サーバ２００が予めインターネット動画ライブラリー４００の番組４１０でクローリングして形成したストリーミングメディアインデックスでさらにマッチングして検索し、動画番組推奨検索結果を得、当該動画番組に対応付けて記憶し、又は、さらに端末１００に送信し、端末の推奨マネージャー１３０によりユーザに提示する。
【００２０】
図２は、本発明の別の実施例による動画番組推奨システムでの移動インターネット端末とサーバの構造模式図である。図２に示すシステムは、端末１００とサーバ２００を含む。端末１００は、チューナー１１０と、ブラウザ／ＡＰＰ１２０と、推奨マネージャー１３０とを含む。図示の実施例では、推奨マネージャー１３０は、ユーザのソーシャルメディア情報１３１と、鑑賞履歴１３２と、操作データベース１３３と、推奨事件１３４とを管理する。図示の実施例では、サーバ２００は、検索マネージャー２２０、動画検索エンジン２１０と、ソーシャルメディア検索エンジン２３０と、データインタラクティブユニット２４０とを含む。検索マネージャーは、放送電子番組ガイダンス（ＥＰＧ）キーワード抽出器２２１と、放送キーフレーム抽出器２２２とを含む。動画検索エンジン２１０は、ストリーミング動画クローラ２１１と、ストリーミング動画キーワード抽出器２１２と、ストリーミング動画インデックス生成器２１３とを含む。ソーシャルメディア検索エンジン２３０は、ソーシャルメディアクローラ２３１と、ソーシャルメディアキーワード抽出器２３２と、ソーシャルメディアインデックス生成器２３３とを含む。
【００２１】
一部の実施例では、ストリーミング動画クローラ２１１は、予めインターネット動画ライブラリー４００で動画キーワードをクローリングし、ストリーミング動画キーワード抽出器２１２は、クローリングした情報から当該ストリーミング動画のキーワードを抽出し、ストリーミング動画インデックス生成器２１３によってインデックスに形成して、後続のマッチング・検索に供する。同様に、サーバ２００のソーシャルメディア検索エンジン２３０に含まれるソーシャルメディアクローラ２３１は、予めパブリックソーシャルメディアで動画番組に関する内容をクローリングし、ソーシャルメディアキーワード抽出器２３２によってキーワードを抽出し、さらにソーシャルメディアインデックス生成器によりインデックスを生成して、後続のマッチング・検索に供する。
【００２２】
図２に示すように、放送ＥＰＧキーワード抽出器２２１は、ある動画番組の電子番組ガイダンスを解析してキーワードを抽出する。放送キーフレーム抽出器２２２は、前記動画番組からキーフレームを抽出し、例えば前記動画番組のうち、動画ショットの主要内容を代表する画像フレームを抽出して、前記キーフレームとする。放送キーフレーム抽出器２２２は、抽出したキーフレームを識別して、識別した文字内容を取得し、識別した文字内容の少なくとも一部と前記キーワードを合併して、前記キー情報とする。例えば、放送キーフレーム抽出器２２２は、抽出したキーフレームにおける文字内容をテキスト識別技術で識別し、および／または、識別した文字内容の少なくとも一部と前記キーワードを重み付けてからソートして、前記キー情報を形成する。このように、検索マネージャー２２０は、当該キー情報を利用して、当該キー情報に関する内容をパブリックソーシャルメディアで検索して検索結果を得、当該検索結果からサマリーを抽出して問い合わせリクエストとし、当該問い合わせリクエストに基づいて、動画番組を放送動画ライブラリーとインターネット動画ライブラリーから検索し、得た検索結果を当該特定動画番組の動画番組推奨とすることができる。
【００２３】
一部の実施例では、ストリーミング動画クローラ２１１は、放送動画ライブラリー３００および／またはインターネット動画ライブラリー４００からストリーミング動画のキーワードをクローリングし、それからストリーミング動画キーワード抽出器２１２によってストリーミング動画キーワードサマリーを抽出し、さらにストリーミング動画インデックス生成器２１３によって、これらのキーワードに点数をつけてストリーミング動画インデックスを形成する。類似的に、ソーシャルメディア抽出器２３２は、キーワードをパブリックソーシャルメディアでクローリングし、ソーシャルメディアキーワード抽出器２３２によってパブリックソーシャルメディアキーワードを形成し、さらにソーシャルメディアインデックス生成器２３３によってパブリックソーシャルメディアに点数をつけてパブリックソーシャルメディアインデックスを形成する。検索エンジンは、データインタラクティブユニット２４０でまずキー情報と、ソーシャルメディアインデックス生成器によって生成したインデックスとをマッチングして初期的結果を検索して得る。それから、当該結果に対してサマリーを形成し、更なる検索リクエストを形成する。当該検索リクエストとストリーミング動画インデックスとをマッチングして検索し、動画番組検索結果を得る。それから、サーバ２００は、前記動画番組推奨と当該動画番組に関連付けて記憶する。ユーザが当該動画番組の再生をリクエストするとき、対応する動画番組推奨を端末１００に提供する。続いて、ブラウザ／アプリケーション１２０は、再生する番組に関連付けて前記動画番組推奨をユーザに提示する。
【００２４】
一部の実施例では、ユーザによる動画番組推奨の選択に応じて、現在再生中の動画番組に影響を与えないように前記動画推奨のプレビューを再生する。他の実施例では、動画番組推奨に対するクリック率を統計するために、端末１００は、さらに、前記ユーザによる前記動画番組推奨のクリック率を統計して補助視聴情報とし、前記補助視聴情報をサーバ２００へ送信する。
【００２５】
図３は、本発明の実施例による移動インターネット端末とサーバのインタラクティブを示す。
【００２６】
図３に示すように、ステップＳ３０１において、端末は、放送動画ストリーミングから動画番組、例えば放送番組＃１を読み取る。当該放送番組は、名称、スタイル、概要、放送時間といったメタデータを有する。
【００２７】
ステップＳ３０２において、前記動画番組の電子番組ガイダンスから、および当該動画番組からキー情報を抽出する。
【００２８】
ステップＳ３０３において、当該キー情報に基づいて検索リクエストを生成する。
【００２９】
ステップＳ３０４において、当該検索リクエストと、予め生成したソーシャルメディアインデックスとをマッチングして検索し、ステップ３０５で検索結果を生成する。
【００３０】
ステップＳ３０６において、検索結果におけるキーワードを抽出し、ステップ３０７で新しい検索リクエストを形成する。ステップ３０８において、新しい検索リクエストと、ストリーミング動画インデックスとをマッチングして検索し、ステップ３０９で検索結果を生成する。
【００３１】
それから、ステップＳ３１０において、サーバ２００は、得た動画番組推奨と当該動画番組を対応付けて記憶する。ユーザが当該動画番組を再生するとき、当該移動端末に動画番組推奨を提供する。
【００３２】
以上の実施例において、端末１００とサーバ２００とのインタラクティブによって本発明の一部の実施例を記載したが、本分野の技術者は、移動端末１００側またはサーバ２００側で本発明を実現することもできる。
【００３３】
図４は、本発明の実施例による推奨方法のフロー図である。図４に示すように、ステップＳ４０１において、サーバ２００は、ソーシャルメディアの内容をクローリングしてソーシャルメディアインデックスを形成する。ステップＳ４０２において、サーバ２００は、インターネット動画番組をクローリングしてストリーミング動画インデックスを形成する。それから、ステップＳ４０３において、サーバ２００は、放送番組、例えばＭＭＢ番組＃１を読み取り、サーバ側で上記の動画推奨形成の処理フローを経て、ステップ４０５で当該放送番組についての動画推奨を出力する。ステップ４０６において、移動端末１００は、当該放送番組＃１を受信する。ステップ４０７において、サーバは、これまでに生成して記憶した動画番組推奨を端末に送信し、ユーザに提示する。
【００３４】
類似的に、ステップ４０８において、放送番組＃２について、サーバ２００は、番組内容を読み取り、ステップ４０９で上記の動画推奨生成フローを行なって、ステップＳ４１０で当該動画推奨を出力する。ステップ４１１において、移動端末１００は、当該放送番組＃２を受信する。ステップ４１２において、サーバは、これまでに生成して記憶した動画番組推奨を端末に送信し、ユーザに提示する。
【００３５】
以上の詳細な記載は、ブロック図、フロー図および／または例示により移動インターネット端末、動画推奨方法およびサーバのいくつかの実施例を述べた。このようなブロック図、フロー図および／または例示には、ひとつまたは複数の機能および／または操作が含まれる場合、このようなブロック図、フロー図および／または例示における各機能および／または操作は各種類のハードウェア、ソフトウェア、ファームウェアまたは実質上それらの任意の組み合わせにより単独および／または共同で実現可能なことは当業者が理解すべきである。一実施例において、本発明の実施例による主題の幾つかの部分は、ＡＳＩＣ、ＦＰＧＡ、ＤＳＰ、または他の集積方式で実現可能である。しかし、ここで開示している実施例の一部は、全体的にまたは一部的に集積回路に同等に実現でき、一台または複数台のコンピュータで実行する一つまたは複数のコンピュータプログラム（例えば一台または複数台のコンピュータシステムで実行する一つまたは複数のプログラム）、一つまたは複数のプロセッサーで実行する一つまたは複数のプログラム（例えば一つまたは複数のマイクロプロセッサーで実行する一つまたは複数のプログラム）、ファームウェア、または実質上の上記方式の任意の組み合わせとして実現することは、当業者が認識すべきことである。しかも当業者が本開示に基づき、回路設計および／またはソフトウェアおよび／またはファームウェアコードを書き込む能力を備える。また、本開示の主題の仕組みは、複数種類の形式のプログラムプロダクトとして分配でき、実際に分配を実行する信号担持媒体の具体的なタイプにかかわらず、本開示の主題の例示的な実施例はいずれも適用することは、当業者が認識すべきである。信号担持媒体の例示は、例えばフロッピー（登録商標）ディスク、ハードディスクドライブ、コンパクトディスク（ＣＤ）、デジタル多用途ディスク（ＤＶＤ）、デジタルテープ、コンピュータメモリなどの記録可能な媒体、および、デジタルおよび／またはアナログ通信媒体（例えば光ファイバー・ケーブル、導波路、有線通信リンク、無線通信リンクなど）など転送型媒体を含むが、これらに限らない。
【００３６】
いくつかの典型的な実施例を参照して本発明を記載したが、使用されている術語は、説明のための例示的なものであり、制限するものではないことを理解すべきである。本発明は発明の精神または実質を逸脱することなく複数種類の形式で具体的に実施可能であるが、上記実施例は前述のいかなる細部にも制限されず、添付している特許請求の範囲により限定している精神と範囲内に広く解釈されるべきであり、特許請求の範囲またはその同等効果範囲内に含まれる全ての変化と改良は添付している特許請求にカバーされることは、理解されるべきである。
【図１】
2015090716.tif 000003
【図２】
2015090716.tif 000004
【図３】
2015090716.tif 000005
【図４】
2015090716.tif 000006